(57)【要約】【課題】複数の粘着式ネズミ捕獲器を連結して広い場所での設置を容易にすることができ、かつ、ネズミが罠から脱出しにくい粘着式ネズミ捕獲器を提供すること。【解決手段】本発明は、粘着材によって、ネズミを捕獲するための粘着式ネズミ捕獲器１である。粘着式ネズミ捕獲器１は、平板状の台部２と、台部２の片面に設けられた粘着部３と、台部２の一側面から突出した一以上の凸部４と、凸部４を差し込むことができる一以上の差し込み部５とを備える。他の粘着式ネズミ捕獲器１の差し込み部５に、凸部４を差し込むことによって、他の粘着式ネズミ捕獲器１と連結できることを特徴とする。【選択図】図６
2013220034.tif 000002
【特許請求の範囲】
【請求項１】
粘着材によって、ネズミを捕獲するための粘着式ネズミ捕獲器であって、
平板状の台部と、
前記台部の片面に設けられた粘着部と、
前記粘着部が設けられている第１の面又は前記第１の面とは反対側の第２の面から略垂直に突出した一以上の凸部と、
前記凸部を抜き差し可能に差し込むことができる一以上の差し込み部とを備え、
他の粘着式ネズミ捕獲器の前記差し込み部に、前記凸部を抜き差し可能に差し込むことによって、前記他の粘着式ネズミ捕獲器と連結でき、
前記ネズミの抵抗力によって前記差し込み部は前記凸部から抜けることが可能であることを特徴とする、粘着式ネズミ捕獲器。
【請求項２】
粘着材によって、ネズミを捕獲するための粘着式ネズミ捕獲器であって、
平板状の台部と、
前記台部の片面に設けられた粘着部と、
前記台部の一側面から突出した一以上の凸部と、
前記凸部を抜き差し可能に差し込むことができる一以上の差し込み部とを備え、
他の粘着式ネズミ捕獲器の前記差し込み部に、前記凸部を抜き差し可能に差し込むことによって、前記他の粘着式ネズミ捕獲器と連結できることを特徴とする、粘着式ネズミ捕獲器。
【請求項３】
前記凸部は、前記台部の端辺近傍において立脚した一以上のピンであり、
前記差し込み部は、前記ピンを差し込むことができる一以上の穴であることを特徴とする、請求項１又は２に記載の粘着式ネズミ捕獲器。
【請求項４】
前記凸部は、前記台部の端辺近傍において立脚した少なくとも二本のピンであり、
前記差し込み部は、前記少なくとも二本のピンが設けられた側とは反対側の端辺近傍に設けられた少なくとも二つの穴であり、
前記ピン間の間隔と、前記穴間の間隔とは、略同一であることを特徴とする、請求項３に記載の粘着式ネズミ捕獲器。
【請求項５】
前記台部は、略中央部分で折りたたみ可能であり、
前記少なくとも二つの穴は、前記台部が折りたたまれたときに、前記少なくとも二本のピンが挿入されない位置に穿孔されていることを特徴とする、請求項４に記載の粘着式ネズミ捕獲器。
【請求項６】
前記差し込み部は、前記凸部を挿入可能な穴、前記凸部を差し込むと穴が開くように形成された抜き形、前記凸部を挟み込むことが可能な切り込み、又は前記凸部を嵌めることが可能な切り欠きのいずれかであることを特徴とする、請求項１又は２に記載の粘着式ネズミ捕獲器。
【請求項７】
前記凸部は、使用時に後付けされることを特徴とする、請求項１又は２に記載の粘着式ネズミ捕獲器。
【請求項８】
粘着材によって、ネズミを捕獲するための粘着式ネズミ捕獲器セットであって、
第１の粘着式ネズミ捕獲器と、第２の粘着式ネズミ捕獲器とを備え、
前記第１の粘着式ネズミ捕獲器は、
平板状の台部と、
前記台部の片面に設けられた粘着部と、
前記台部の一側面から突出した一以上の凸部とを含み、
前記第２の粘着式ネズミ捕獲器は、
平板状の台部と、
前記台部の片面に設けられた粘着部と、
前記第１の粘着式ネズミ捕獲器の前記凸部を抜き差し可能に差し込むことができる一以上の差し込み部とを含み、
前記第２の粘着式ネズミ捕獲器の前記差し込み部に、前記第１の粘着式ネズミ捕獲器の前記凸部を抜き差し可能に差し込むことによって、前記第１の粘着式ネズミ捕獲器と前記第２の粘着式ネズミ捕獲器とを連結できることを特徴とする、粘着式ネズミ捕獲器セット。
【請求項９】
粘着材によって、ネズミを捕獲するための粘着式ネズミ捕獲器セットであって、
粘着式ネズミ捕獲器と、凸部用器具とを備え、
前記凸部用器具は、他の粘着式ネズミ捕獲器の端辺に取り付けられ、
前記粘着式ネズミ捕獲器は、
平板状の台部と、
前記台部の片面に設けられた粘着部と、
前記他の粘着式ネズミ捕獲器に取り付けられた前記凸部用器具を抜き差し可能に差し込むことができる一以上の差し込み部とを含み、
前記粘着式ネズミ捕獲器の前記差し込み部に、前記他の粘着式ネズミ捕獲器に取り付けられた前記凸部用器具を抜き差し可能に差し込むことによって、前記粘着式ネズミ捕獲器と前記他の粘着式ネズミ捕獲器とを連結できることを特徴とする、粘着式ネズミ捕獲器セット。
【請求項１０】
前記台部は、段ボール紙によってできており、
一つの粘着式ネズミ捕獲器の全重量が、７５グラム以下であることを特徴とする、請求項１〜７のいずれかに記載の粘着式ネズミ捕獲器又は請求項８若しくは９に記載の粘着式ネズミ捕獲器セット。
【発明の詳細な説明】
【技術分野】
【０００１】
本発明は、ネズミを捕獲するために用いられる粘着式ネズミ捕獲器に関する。
【背景技術】
【０００２】
従来、特許文献１〜９に記載されているように、折りたたみ可能な台紙の片面に粘着剤が塗布されている粘着式ネズミ捕獲器がよく用いられている。
【０００３】
広い場所で粘着式ネズミ捕獲器を利用する場合、複数の粘着式ネズミ捕獲器を敷き詰めることになるが、複数の粘着式ネズミ捕獲器を連結して敷き詰めることも提案されている。特許文献７では、たとえば、ネズミが捕獲されたときに、隣の捕獲器から容易に取り外すことができるように、連結片（８）として、厚さの薄い紙やプラスチックスフィルム、マスキングテープなどを用いることが提案されている。特許文献８では、台紙の一端辺に突辺（６）を設け、他端辺に連結片（８）及び係合孔（７）を設け、係合孔（７）に突辺（６）を挿入して台紙を連結することが提案されている。特許文献９では、台紙（１）の両端縁に、雄型留め部（２０ａ）と雌型留め部材（２０ｂ）とを設け、複数の粘着式ネズミ捕獲器を連結できるようにしている。特許文献９では、雄型留め部（２０ａ）と雌型留め部材（２０ｂ）とからなる留め部材（２０）は、繰り返し着脱を可能にする面ファスナーテープや、スナップ、ホック等が用いられるとしている。
【先行技術文献】
【特許文献】
【０００４】
【特許文献１】特開２００４−１４７６４４号公報
【特許文献２】実用新案登録第３０６６９６１号公報
【特許文献３】実用新案登録第３０３０１４２号公報
【特許文献４】実開平６−５２４６２号公報
【特許文献５】実公平７−３８９９号公報
【特許文献６】実用新案登録第３００２１４８号公報
【特許文献７】実開平３−１８７８２号公報  第９図・第１１図・第１２図・１５頁・１６頁
【特許文献８】実開平３−１１４９７１号公報  第４図・６頁第６行〜第１６行
【特許文献９】特開２００８−２３７０７１号公報  図５・図７・段落００２５・段落００２９
【特許文献１０】実開昭６２−１１１３８２号公報
【特許文献１１】実開昭６４−１１６８６号公報
【特許文献１２】特開平９−２７５８７９号公報
【発明の概要】
【発明が解決しようとする課題】
【０００５】
広い場所で粘着式ネズミ捕獲器を利用する場合、特許文献１〜６に記載されている粘着式ネズミ捕獲器では、一つ一つ設置しなければならない。たとえば、天井裏や厨房器具等の下など、手が届きにくいところに設置するには、特許文献１〜６の粘着式ネズミ捕獲器は、非常に使いにくい。従来であれば、長い棒を使って、粘着式ネズミ捕獲器を奥に押し込んでいたりした。ネズミが捕獲された場合も、長い棒などで回収していた。このような回収作業は面倒であるので、天井裏に複数の粘着式ネズミ捕獲器を配置した場合、ネズミが捕獲されていない粘着式ネズミ捕獲器は、回収せずに、そのまま放置しておくこともあった。
【０００６】
特許文献７〜９に記載の粘着式ネズミ捕獲器であれば、複数の粘着式ネズミ捕獲器を連結することができるので、天井裏や厨房器具等の下など、作業がしにくい広い場所にでも、容易に設置することができる。また、連結されているので、回収も容易である。
【０００７】
しかし、特許文献７に記載の粘着式ネズミ捕獲器では、予め複数の粘着式ネズミ捕獲器が連結片（８）によって連結されているので、ネズミが捕獲されて、どこかの粘着式ネズミ捕獲器が切り取られた場合、切り取られた部分で連結が途絶えてしまうこととなり、代わりの粘着式ネズミ捕獲器を連結することができなくなる。
【０００８】
特許文献８に記載の粘着式ネズミ捕獲器では、突片（６）と係合孔（７）との連結によって、複数の粘着式ネズミ捕獲器を連結することができる。そのため、どこかの粘着式ネズミ捕獲器でネズミが捕獲された場合、捕獲された粘着式ネズミ捕獲器を新しい粘着式ネズミ捕獲器に交換することは可能である。特許文献８の第４図に記載されているように、突片（６）と係合孔（７）による連結であるため、連結された粘着式ネズミ捕獲器を天井裏や厨房器具等の下の奥の方に押し込む際には、連結部分が外れることなく押し込むことが可能であるが、粘着式ネズミ捕獲器を回収する際に、手前に引っ張ろうとすると、突片（６）と係合孔（７）との連結が外れる可能性が十分に考えられる。したがって、特許文献８に記載の粘着式ネズミ捕獲器の連結構造は実用面で不備がある。
【０００９】
特許文献９に記載の粘着式ネズミ捕獲器の場合、面ファスナーテープやスナップ、ホック等からなる留め部材（２０）によって、連結されるので、特許文献８のように、手前に引っ張ろうとしたときに、連結が外れるといった不備は生じない。また、ネズミが捕獲された場合には、新しい粘着式ネズミ捕獲器に差し替えることが可能である。しかし、特許文献９に記載の粘着式ネズミ捕獲器の場合、面ファスナーテープやスナップ、ホック等が用いられているので、各捕獲器は、しっかりと留まっていることとなり、ネズミが歩行したくらいでは容易には外れない。すなわち、広く粘着式ネズミ捕獲器を敷き詰めた場合、粘着剤の上をネズミが通ったとしても、複数の粘着式ネズミ捕獲器の全体重量によって、ネズミの足が粘着剤から外れやすくなり、ネズミがこのような罠から脱出することが可能になる危険性がある。
【００１０】
特許文献７や特許文献９に記載のように、広い面積の設置に便利なように、複数の粘着式ネズミ捕獲器をしっかり連結した場合、その上をネズミが走ったくらいでは、連結が容易に外れない構造になってしまう。すると、全体重量によって、土台がしっかりすることとなり、逆に、ネズミが粘着剤の上を走り抜けて、罠から脱出する危険がある。
【００１１】
それゆえ、複数の粘着式ネズミ捕獲器を連結して広い場所での設置及び回収を容易にすることができ、かつ、ネズミが罠から脱出しにくい粘着式ネズミ捕獲器の提供が望まれていた。
【課題を解決するための手段】
【００１２】
上記課題を解決するために、本発明は、以下のような特徴を有する。本発明は、粘着材によって、ネズミを捕獲するための粘着式ネズミ捕獲器であって、平板状の台部と、台部の片面に設けられた粘着部と、粘着部が設けられている第１の面又は第１の面とは反対側の第２の面から略垂直に突出した一以上の凸部と、凸部を抜き差し可能に差し込むことができる一以上の差し込み部とを備え、他の粘着式ネズミ捕獲器の差し込み部に、凸部を抜き差し可能に差し込むことによって、他の粘着式ネズミ捕獲器と連結でき、ネズミの抵抗力によって差し込み部は凸部から抜けることが可能であることを特徴とする。
【００１３】
また、本発明は、粘着材によって、ネズミを捕獲するための粘着式ネズミ捕獲器であって、平板状の台部と、台部の片面に設けられた粘着部と、台部の一側面から突出した一以上の凸部と、凸部を抜き差し可能に差し込むことができる一以上の差し込み部とを備え、他の粘着式ネズミ捕獲器の差し込み部に、凸部を抜き差し可能に差し込むことによって、他の粘着式ネズミ捕獲器と連結できることを特徴とする。
【００１４】
たとえば、凸部は、台部の端辺近傍において立脚した一以上のピンであり、差し込み部は、ピンを差し込むことができる一以上の穴である。
【００１５】
好ましくは、凸部は、台部の端辺近傍において立脚した少なくとも二本のピンであり、差し込み部は、少なくとも二本のピンが設けられた側とは反対側の端辺近傍に設けられた少なくとも二つの穴であり、ピン間の間隔と、穴間の間隔とは、略同一であるとよい。
【００１６】
好ましくは、台部は、略中央部分で折りたたみ可能であり、少なくとも二つの穴は、台部が折りたたまれたときに、少なくとも二本のピンが挿入されない位置に穿孔されているとよい。
【００１７】
たとえば、差し込み部は、凸部を挿入可能な穴、凸部を差し込むと穴が開くように形成された抜き形、凸部を挟み込むことが可能な切り込み、又は凸部を嵌めることが可能な切り欠きのいずれかであるとよい。
【００１８】
また、凸部は、使用時に後付けされてもよい。
【００１９】
また、本発明は、粘着材によって、ネズミを捕獲するための粘着式ネズミ捕獲器セットであって、第１の粘着式ネズミ捕獲器と、第２の粘着式ネズミ捕獲器とを備える。第１の粘着式ネズミ捕獲器は、平板状の台部と、台部の片面に設けられた粘着部と、台部の一側面から突出した一以上の凸部とを含む。第２の粘着式ネズミ捕獲器は、平板状の台部と、台部の片面に設けられた粘着部と、第１の粘着式ネズミ捕獲器の凸部を抜き差し可能に差し込むことができる一以上の差し込み部とを含む。第２の粘着式ネズミ捕獲器の差し込み部に、第１の粘着式ネズミ捕獲器の凸部を抜き差し可能に差し込むことによって、第１の粘着式ネズミ捕獲器と第２の粘着式ネズミ捕獲器とを連結できる。
【００２０】
また、本発明は、粘着材によって、ネズミを捕獲するための粘着式ネズミ捕獲器セットであって、粘着式ネズミ捕獲器と、凸部用器具とを備える。凸部用器具は、他の粘着式ネズミ捕獲器の端辺に取り付けられる。粘着式ネズミ捕獲器は、平板状の台部と、台部の片面に設けられた粘着部と、他の粘着式ネズミ捕獲器に取り付けられた凸部用器具を抜き差し可能に差し込むことができる一以上の差し込み部とを含む。粘着式ネズミ捕獲器の差し込み部に、他の粘着式ネズミ捕獲器に取り付けられた凸部用器具を抜き差し可能に差し込むことによって、粘着式ネズミ捕獲器と他の粘着式ネズミ捕獲器とを連結できる。
【００２１】
上記発明において、好ましくは、台部は、段ボール紙によってできており、一つの粘着式ネズミ捕獲器の全重量が、７５グラム以下であるとよい。
【発明の効果】
【００２２】
本発明によれば、凸部を差し込み部に差し込むことで、複数の粘着式ネズミ捕獲器を連結することができる。また、凸部と差し込み部による連結構造の場合、連結した複数の粘着式ネズミ捕獲器を、押し込んで、天井裏や厨房器の下などに、簡単に設置することができ、さらに、連結された粘着式ネズミ捕獲器を引っ張ることによって簡単に回収することができる。本発明の連結構造は、特許文献７のように、連結片によって予め複数の粘着式ネズミ捕獲器を連結するものではないので、ネズミが捕獲された場合、捕獲した粘着式ネズミ捕獲器を簡単に交換することができる。また、本発明の連結構造は、特許文献８のように、突片と係合孔による連結のような不安定な連結ではないので、複数を押し込んで設置したり、引っ張って回収したりすることが可能となる。さらに、本発明の連結構造は、特許文献９のように、面ファスナーテープやスナップ、ホック等でしっかり固定するものではないので、ネズミが歩行した際に、粘着式ネズミ捕獲器全体が連動して不安定な動きとなり、ネズミが歩行しにくい状況となり、捕獲率の向上を図ることができる。さらに、粘着部にネズミが付いた場合、ネズミの抵抗力で、差し込み部が凸部から抜け、連結が外れることがある。連結が外れた結果、ネズミの上に粘着式ネズミ捕獲器が覆い被さったり、予期せぬ動きを粘着式ネズミ捕獲器が取ったりすることによって、ネズミの捕獲率が向上する。
【００２３】
凸部を一以上のピンとし、差し込み部を一以上の穴とすれば、簡便かつ安価に粘着式ネズミ捕獲器を提供できる。また、ピンと穴という簡便な構造でありながら、抜き差しが容易でありながらも、連結された粘着式ネズミ捕獲器の押し込みや引き抜きが確実にでき、さらに、ネズミの抵抗力による振動の連動が実現でき、ネズミの走行時に不安定な状況を作り上げることができる。場合によっては、ネズミが粘着部に引っかかり、連結解除によって粘着式ネズミ捕獲器がネズミに覆い被さって捕獲することも期待できる。このようにピンと穴の組み合わせは、設置及び回収の容易さ並びに捕獲率向上を実現することができる。
【００２４】
少なくとも二つのピン及び穴を利用すれば、さらに、設置及び回収が容易となる。
【００２５】
差し込み部としては、穴、抜き形、切り込み、切り欠きなど、考え得る形態を全て採用できるが、いずれも、簡便な構造であり、基本的には、台紙をトムソン型で加工すれば、よい程度である。
【００２６】
凸部を後付けできるようにすれば、製造時に、後付け工程を省くことができるので、製品単価を下げることが期待できる。
【００２７】
第１及び第２の粘着式ネズミ捕獲器によるセットでの提供や、粘着式ネズミ捕獲器と凸部用器具によるセットでの提供など、使用者のニーズに応じて、種々の提供形態を採用できるのも本発明の特徴の一つである。
【００２８】
台部を段ボール紙製にすれば、安価に提供できるだけでなく、全体重量を最適な７５グラム以下に抑えることができ、捕獲率向上にも貢献できることとなる。
【００２９】
なお、特許文献１０及び１１に記載の捕獲器は、パズル式の連結構造であるので、本発明のように、凸部を差し込み部に差し込む連結構造とは異なる。また、特許文献１２に記載の捕獲器は、立ち上がり部に設けられた切り込みを左右に差し込むことによって、連結する構造であるので、本発明のように、凸部を差し込み部に差し込む連結構造とは異なる。
【００３０】
本発明のこれら、及び他の目的、特徴、局面、効果は、添付図面と照合して、以下の詳細な説明から一層明らかになるであろう。
【図面の簡単な説明】
【００３１】
【図１】図１は、本発明の一実施形態に係る粘着式ネズミ捕獲器１の平面図である。
【図２】図２は、捕獲器１の正面図である。
【図３】図３は、捕獲器１の底面図である。
【図４】図４は、捕獲器１の右側面図である。
【図５】図５は、捕獲器１を折りたたんだときの正面図である。
【図６】図６は、捕獲器１の斜視図である。
【図７】図７は、複数の捕獲器１を連結したときの様子を示す平面図である。
【図８】図８は、連結した捕獲器１の上をネズミＭが通過しているときの様子を示す図である。
【図９】図９は、他の捕獲形態を示した図である。
【図１０】図１０は、凸部４を台部２の片側四隅に設け、差し込み部５を台部２の反対側四隅に設けたときの捕獲器１の平面図である。
【図１１】図１１は、図１０に記載の捕獲器１を横方向に連結したときの平面図である。
【図１２】図１２は、長手方向の端辺近傍に二つの凸部４を設けたときの捕獲器１の平面図である。
【図１３】図１３は、図１２に記載の捕獲器を横方向に連結したときの平面図である。
【図１４】図１４は、凸部４を短手方向の端辺近傍の片側中央部分に一つ設けたときの捕獲器１の平面図である。
【図１５】図１５は、凸部４を短手方向の端辺近傍の角部分に一つ設けたときの捕獲器１の平面図である。
【図１６】図１６は、凸部４を対角線上に設けたときの捕獲器１の平面図である。
【図１７】図１７は、凸部４を台部２の片側長手方向端辺近傍に二つ設けたときの捕獲器１の平面図である。
【図１８】図１８は、図１７に記載の捕獲器１を横方向に連結したときの平面図である。
【図１９】図１９は、図１７の捕獲器１の変形例を示す平面図である。
【図２０】図２０は、捕獲器１の長手方向の両角に二つの凸部４を設けたときの捕獲器１の平面図である。
【図２１】図２１は、捕獲器１の短手方向の端辺近傍に三つの凸部４を設けたときの捕獲器１の平面図である。
【図２２】図２２は、二つの凸部４の間隔を狭めたときの捕獲器１の平面図である。
【図２３】図２３は、凸部４が粘着部３とは逆の面から突出している場合の捕獲器１の平面図である。
【図２４】図２４は、凸部４が粘着部３とは逆の面から突出している場合の捕獲器１の底面図である。
【図２５】図２５は、粘着式ネズミ捕獲器セットにおける第１の捕獲器１ａを示す平面図である。
【図２６】図２６は、粘着式ネズミ捕獲器セットにおける第２の捕獲器１ｂを示す平面図である。
【図２７】図２７は、切り込み５ａを用いた場合の捕獲器１の平面図である。
【図２８】図２８は、切り込み５ａを用いた場合の第２の捕獲器１ｂの平面図である。
【図２９】図２９は、凸部４を後付けする場合の平面図及び凸部４の斜視図である。
【図３０】図３０は、凸部４を後付けする場合の平面図及び凸部４の斜視図である。
【図３１】図３１は、凸部４を後付けする場合の平面図及び凸部４の斜視図である。
【図３２】図３２は、凸部４を表面に貼り付けた場合の平面図である。
【図３３】図３３は、端辺部分２ａを厚くしたタイプの捕獲器の平面図である。
【図３４】図３４は、図３３のＡ−Ａ断面図である。
【図３５】図３５は、円柱状の突出部を有する凸部４ｂを用いる場合の平面図及び凸部４ｂの斜視図である。
【図３６】図３６は、楕円柱状の突出部を有する凸部４ｃを用いる場合の平面図及び凸部４ｃの斜視図である。
【図３７】図３７は、抜き形５ｄを用いる場合の平面図である。
【図３８】図３８は、直方体の凸部４ｈを用いる場合の平面図である。
【図３９】図３８は、切り欠きによって差し込み部５ｉを形成する場合の平面図である。
【発明を実施するための形態】
【００３２】
図１は、本発明の一実施形態に係る粘着式ネズミ捕獲器（以下、捕獲器）１の平面図である。図２は、捕獲器１の正面図である。図３は、捕獲器１の底面図である。図４は、捕獲器１の右側面図である。図５は、捕獲器１を折りたたんだときの正面図である。図６は、捕獲器１の斜視図である。図７は、複数の捕獲器１を連結したときの様子を示す平面図である。
【００３３】
捕獲器１は、台部２と、粘着部３と、凸部４と、差し込み部５と、スペーサ６とを備える。台部２は、平板状であり、中央部に二本の折り目７を有する。折り目７によって、図５のように、コの字状に折りたたむことが可能となる。台部２は、段ボール製や、合紙製、プラスティック製、発砲スチロール製など、素材は限定されない。安価に捕獲器１を提供するために、本発明者は、台部２として、段ボールを用いることとした。また、好ましくは、台部２をシングルの段ボールによって製造するのが、低コストであり、全体重量の面からも有効であることが分かった。捕獲器１の全体重量は、７５グラム以下であるとよい。全体重量については、再度後述する。ただし、全体重量や素材などは、本発明を限定するものではない。
【００３４】
粘着部３は、台部２の片面（第１の面）に設けられている。粘着部３には、スペーサ６が接着されている。スペーサ６は、台部２を折りたたんだ際に、対向する粘着部３同士が引っ付かないような位置に設けられている。スペーサ６の数や位置は、本発明を限定するものではない。スペーサ６は、たとえば、プラスティック製の突起物である。
【００３５】
凸部４は、円盤状の底面から略垂直に立脚したピンからなる。凸部４は、粘着部３が設けられ第１の面とは逆側の面（第２の面）から、台部２に差し込まれることによって、粘着部３が設けられた面側に突出している。凸部４は、台部４に接着されている。凸部４は、台部２の短手方向の端辺近傍において立脚した二つのピンである。
【００３６】
差し込み部５は、凸部４とは反対側の端辺に設けられており、凸部４を抜き差し可能に差し込むことができる程度に穿孔された二つの穴である。差し込み部５の間隔は、凸部４の間隔と略同一である。したがって、ある捕獲器１の凸部４を、別な捕獲器１の差し込み部５に差し込むことによって、複数の捕獲器１を連結することができる。この連結力は、ネズミが粘着部３の粘着力に抵抗しようとする抵抗力によって、差し込み部５が凸部４から抜ける程度である。したがって、本発明では、従来の特許文献９の捕獲器のように、面ファスナーテープやスナップ、ホックのように、頑丈に二つの捕獲器１を連結するものではない。
【００３７】
図５に示すように、台部２が折りたたまれた場合、凸部４が差し込み部５に挿入されないように、それぞれが位置決めされている。スペーサ６があるものの、凸部４と差し込み部５とが重なってしまうと、対向した粘着部３同士が引っ付いてしまう可能性があるからである。ただし、スペーサ６の数を増やせば、凸部４と差し込み部５とが重なっても、対向した粘着部３同士を引っ付かないようにすることができるので、凸部４と差し込み部５との位置関係は、本発明において必須ではない。
【００３８】
このように、凸部４に差し込み部５を差し込むだけで、容易に、複数の捕獲器１を連結することができる。凸部４が略垂直に立脚している状態で、凸部４が差し込み部５に差し込まれているので、連結された複数の捕獲器１を奥に押し込むことも、手前に引っ張ることも容易にできる。さらに、ネズミがある捕獲器１に捕まった場合、凸部４と差し込み部５との連結を外せば、捕まった捕獲器１だけを取り外すことができ、別な新しい捕獲器１に交換することができる。このように、本実施形態は、連結が容易であり、連結された複数の捕獲器１の奥への押し込みや、手前への引っ張りができ、さらに、捕獲器１の交換も容易となっている。
【００３９】
天井裏や厨房器具等の下など、手が届かないところに実際に設置する場合、一つ一つの捕獲器１を順番に連結しながら、順番に捕獲器１を奥に押し込めていくことができる。捕獲器１を回収する場合は、一つ一つの捕獲器１を外しながら、順番に、手前に引っ張っていけばよい。
【００４０】
図８は、連結した捕獲器１の上をネズミＭが通過しているときの様子を示す図である。ある捕獲器１の上をネズミＭが通過する際、複数の捕獲器１が連結しているので、通過中の捕獲器１の振動が他の捕獲器１にも伝わり、連結している捕獲器１が連動して振動することとなる。仮に、捕獲器１が連結されていない場合を考えると、ネズミＭは、走り抜ける際に、捕獲器１をはじき飛ばしてしまってうまく捕獲できない場合がある。一方、複数の捕獲器１を連結しておけば、ネズミＭが走り抜ける際に、捕獲器１ははじき飛ばされずに、走り抜ける際の力が、他の捕獲器１に伝わり、連結された複数の捕獲器１全体が連動して振動することとなり、ネズミＭが走りにくい状況となる。その結果、ネズミＭは、足下をすくわれてしまい、どこかの捕獲器１を走り抜けることができずに、捕獲されてしまうこととなる。
【００４１】
図９は、他の捕獲形態を示した図である。捕獲器１に上方向の力が加わった場合、ネズミＭの抵抗力によって、差し込み部５が凸部４から抜けて、連結が解除される可能性がある。ネズミＭが手前の粘着部３に引っ付いてしまい、抵抗して次の粘着部３に行こうとした際、手前の捕獲器１に上方向の力が加わる可能性がある。このような場合、手前の捕獲器１の連結が外れ、ネズミＭに捕獲器１が覆い被さる場合がある。仮に、覆い被さらなかったとしても、手前の捕獲器１の連結が外れ、予期せぬ動きとなる場合がある。このような状況になれば、ネズミＭは、驚き、思うように動くことができず、捕獲率がアップすると期待できる。
【００４２】
捕獲器１が重すぎると、連結した捕獲器１に力が連動しにくくなり、また、捕獲器１が外れてネズミに覆い被さるといった状況にもなりにくい。そのため、図８及び図９のような状況を作り上げるために、各捕獲器１の全体重量は、７５グラム以下であるとよいことが、本発明者の実験によって分かった。捕獲対象となるネズミは、主に、クマネズミと呼ばれる種類のネズミである。クマネズミの総体重は、１００グラム〜２００グラムくらいである。その総体重や連結構造を考慮して、捕獲器１の全体重量を７５グラム以下にした。ただし、捕獲器１の全体重量は、本発明を限定するものではなく、７５グラム以上であっても、よいことは言うまでもない。
【００４３】
上記のように、本実施形態における連結構造を採用すれば、複数の捕獲器１の設置及び回収、捕獲器１の交換が容易となるばかりでなく、ネズミの捕獲率も向上すると期待できる。
【００４４】
本発明は、下記のように、種々の実施形態に変形可能である。以下、実施形態の変形例を説明する。なお、下記の変形例も一例に過ぎず、本発明を変形例のみに限定するものではない。
【００４５】
図１０に示すように、凸部４を台部２の片側四隅に設け、差し込み部５を台部２の反対側四隅に設けてもよい。それぞれの凸部４の間隔と差し込み部５の間隔は、連結可能なように、設定されている。この場合、図７に示したように縦方向に連結できるのはもちろんのこと、図１１に示すように横方向にも連結できる。このように、凸部４及び差し込み部５は、それぞれ４つであってもよい。図示しないが、凸部４及び差し込み部５は、それぞれ３つであってもよい。
【００４６】
図１２に示すように、凸部４を長手方向の端辺近傍の片側中央部分にそれぞれ一つずつ合計二つ設け、凸部４に対向するように差し込み部５を二つ設けてもよい。凸部４の間隔と差し込み部５の間隔とは、略同一である。この場合、図１２に示すように、スペーサ６の数や位置は、折りたたんだときに粘着部３が引っ付かないように工夫されている。図１３に示すように、図１２の配置であれば、横方向に捕獲器１を連結することができる。このように、凸部４及び差し込み部５は、長手方向の端辺近傍に配置されていてもよい。
【００４７】
図１４に示すように、凸部４を短手方向の端辺近傍の片側中央部分に一つ設け、凸部４に対向するように、差し込み部５を一つ設けてもよい。図１４に示す場合、縦方向に捕獲器１を連結することができる。この場合、一つの凸部４だけで連結されるので、捕獲器１を奥に押し込む際に、捕獲器１が左右にぶれる可能性はあるが、捕獲器１の連結数が多くなりすぎなければ、左右へのぶれは、それほど、気にならない。図１４に示す捕獲器１であっても、ネズミが走行する際に、力が他の捕獲器１に連動し、捕獲率向上を図ることができる。しかも、設置及び回収が容易であり、捕獲器１の差し替えも容易である。このように、凸部４を少なくとも一つ設け、凸部４に対応するように、少なくとも一つの差し込み部を設ければ、本発明の目的は、達成できる。また、凸部４が一つである場合、ネズミが走行すると、捕獲器１が左右にぶれることとなり、ネズミは、足下が滑ったと感じるような状態となる。それにより、ネズミが足下をすくわれ、捕獲率がアップする可能性も期待できる。本発明では、凸部４及び差し込み部５は、少なくとも一つずつであればよい。
【００４８】
図１５に示すように、凸部４を短手方向の端辺近傍の角部分に一つ設け、台部２の残りの角部分に、差し込み部５を設けるようにしてもよい。この場合、凸部４に差し込み部５を差し込むことで連結できるが、縦方向の連結のみならず、横方向の連結も可能となる。奥に押し込む際に、左右にぶれる可能性があるが、捕獲器１の連結数が多くなりすぎなければ、それほど気にならない。図１４及び図１５に示すように、一つだけの凸部４の場合も、凸部４が配置される場所は、特に限定されるものではない。
【００４９】
図１６に示すように、凸部４の対角線上反対側に、もう一つ凸部４を設けてもよい。図１７に示すように、凸部４を台部２の片側長手方向端辺近傍に二つ設けてもよい。図１７に示す捕獲器１の場合、図１８に示すように、横方向に連結することができる。図１７の捕獲器１の場合、残りの端辺に、凸部４と同間隔の差し込み部５を形成しているので、階段状に捕獲器１を連結できる。また、差し込み部５の間隔を工夫すれば、Ｌ字状に連結することも可能となる。図１９に示すように、図１７の捕獲器１に対して、差し込み部５の数を減らして、凸部４に対向する側にのみ差し込み部を形成してもよい。
【００５０】
図２０に示すように、捕獲器１の長手方向の両角に二つの凸部４を設け、それらに対向するように、同間隔で二つの差し込み部５を設けてもよい。図２０の場合、横方向の連結が可能となる。また、一つの凸部４で連結することとなるが縦方向の連結も可能となる。
【００５１】
図２１に示すように、捕獲器１の短手方向の端辺近傍に三つの凸部４を設けて、それらに対向するように、同間隔で三つの差し込み部５を設けてもよい。なお、長手方向の端辺近傍に三つの凸部４を設けてもよい。このように、本発明において、端辺近傍に三つ以上の凸部４を設けてもよい。
【００５２】
図２２に示すように、二つの凸部４及び差し込み部５の間隔を狭めてもよい。
【００５３】
図２３及び図２４では、粘着部３が設けられている第１の面とは逆の面である第２の面から、凸部４が突出している場合の捕獲器１が示されている。このように、粘着部３が設けられていない面から凸部４を突出させるようにした場合、凸部４を差し込み部５の上から下に挿入することによって、捕獲器１を連結することができる。このように、凸部４は、粘着部３が設けられている第１の面又は粘着部３が設けられていない第２の面のどちら側から突出していてもよい。
【００５４】
凸部４だけが設けられた第１の捕獲器と、差し込み部５だけが設けられた第２の捕獲器とを用いて、粘着式ネズミ捕獲器セットを構成するようにしてもよい。たとえば、図２５に示すように凸部４を四隅近傍に設けた第１の捕獲器１ａを用い、図２６に示すように差し込み部５を四隅近傍に設けた第２の捕獲器１ｂを用いるようにしてもよい。このようなセットを用いる場合も、凸部４は少なくとも一つあればよいし、差し込み部５は少なくとも一つあればよい。また、凸部４及び差し込み部５の位置は、どこでもよい。
【００５５】
上記各実施形態では、差し込み部５は、穴であるとした。しかし、凸部４を抜き差し可能に差し込むことによって、二つの捕獲器１を連結できる構造であれば、差し込み部５は穴に限られるものではない。図２７では、差し込み部として、端辺に上下に切り込まれた切り込み５ａを用いる例を示す。切り込み５ａは、凸部４を挟み込むことができる。このような切り込み５ａによっても、二つの捕獲器１を連結することができる。また、切り込み５ａであれば、特許文献９のような面ファスナーテープやスナップ、ホックなどに比べて、連結力が弱いので、ネズミの抵抗力によっては、連結が外れ、ネズミに捕獲器１が覆い被さる場合がある。また、切り込み５ａであれば、特許文献８のように弱すぎる連結ではないので、奥への押し込みや手前への引っ張り時にも、連結が外れることがない。
【００５６】
切り込み５ａのみを用いた第２の捕獲器１ｂ（図２８）と、図２５の第１の捕獲器１ａとをセットにすることも可能である。
【００５７】
図２９に示すように、第２の捕獲器１ｂをユーザに提供しておいて、ユーザが自ら後で、凸部４を底面（第２の面）から貼り付けるようにしてもよい。凸部４には、適宜、両面テープなどの粘着部が設けられているとよい。もちろん、使用者が接着剤で、凸部４を接着してもよい。また、図３０に示すように、凸部４を貼り付ける位置を印４ａによって付けておいて、当該印４ａの場所に、ユーザが自ら後で凸部４を表面（第１の面）に貼り付けるようにしてもよい。さらに、図３１に示すように、切り込み５ａのみを有する第２の捕獲器１ｂをユーザに提供しておいて、ユーザが自ら後で、凸部４を差し込んで、凸部４を底面から貼り付けるようにしてもよい。このように、凸部４は、使用時に後付けされてもよい。
【００５８】
凸部４を後付けする場合、図２６の第２の捕獲器１ｂや図２８の第２の捕獲器１ｂを使用者に提供し、さらに、凸部４（凸部用器具という）のみを使用者に提供して、捕獲器１ｂと凸部用器具との捕獲器セットとして、実施してもよい。一つの捕獲器１ｂに凸部用器具を取り付け、他の捕獲器１ｂと連結することによって、複数の捕獲器１ｂを連結することができる。
【００５９】
図３２に示すように、凸部４を裏側から貫通させるのではなく、単に、台部２の表面（第１の面）に貼り付けるようにしてもよい。
【００６０】
端辺部分を厚くすることによって、折りたたみ時に、粘着部３が引っ付かないようにする捕獲器１がある。このようなタイプの捕獲器であっても、図３３・図３４に示すように、端辺部分２ａに、凸部４を貼り付け、対向する位置に、差し込み部５を設けることによって、連結可能な捕獲器１を提供することが可能となる。
【００６１】
凸部４の形状は、上記実施形態で示したようなピンタイプである場合に限られない。図３５に示すように、太めの円柱状の突出部を有する凸部４ｂが用いられてもよい。この場合、凸部４ｂに合わせた太さの穴を有する差し込み部５ｂを用いる。また、図３６に示すように、楕円柱状の突出部を有する凸部４ｃが用いられてもよい。この場合、凸部４ｃに合わせた太さの穴を有する差し込み部５ｃを用いる。図３６のような楕円柱状の凸部４ｃを用いた場合、一つの凸部４ｃであったとしても、設置時に左右にぶれることが防止できる。
【００６２】
上記実施形態では、差し込み部は、穴として上下に穿孔されていた。しかし、凸部４を差し込むことができるのであれば、穴が完全に穿孔されずに、凸部４を差し込んだら穴が開くような形態であってもよい。たとえば、図３７に示すように、凸部４を差し込んだら穴が開くように、穴の形をした抜き形５ｄを設けておく捕獲器１であってもよい。
【００６３】
上記実施形態では、凸部４として、プラスティック製のピンなどを用いる例を中心に説明した。しかし、凸部４ｈは、図３８に示すように、直方体の紙やプラスティックを端辺近傍に貼り付けることによって形成されてもよい。この場合、差し込み部５ｈは、凸部４ｈが挿入可能な大きさとなっている。凸部４ｈを紙で形成する場合、台部２と凸部４ｈとが連結しており、凸部４ｈ部分を折り返して接着することによって、凸部４ｈを形成するようにしてもよい。また、図３９に示すように、穴ではなく凸部を嵌めることが可能な切り欠きによって、差し込み部５ｉを形成してもよい。なお、凸部４ｈ及び４ｉの形状は、特に限定されず、何でもよい。従来の端辺部分を厚くするタイプの捕獲器の製造工程に準拠して、凸部４ｈ及び４ｉを製造できる。したがって、図３８及び３９の構造の捕獲器１は、十分に実施可能である。
【００６４】
なお、上記実施形態では、台部２は、折りたたみ可能であるとしたが、折りたたみができない台部２が利用されたとしても、本発明を構成できる。
【００６５】
なお、複数の捕獲器１を完全に固定したければ、両面テープなどで、各捕獲器１を固定することを本発明は除外するものでなはい。
【００６６】
なお、製造者側が連結を使用者に勧めるか否かに関係なく、本発明のような凸部及び差し込み部による連結構造を有する捕獲器は、本発明の範囲に含まれる。
【００６７】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００６８】
本発明は、粘着式ネズミ捕獲器であり、産業上利用可能である。
【符号の説明】
【００６９】
１  粘着式ネズミ捕獲器
１ａ  第１の粘着式ネズミ捕獲器
１ｂ  第２の粘着式ネズミ捕獲器
２  台部
３  粘着部
４，４ｂ，４ｃ，４ｈ，４ｉ  凸部
４ａ  取り付け位置印
５，５ａ，５ｂ，５ｃ，５ｄ，５ｈ，５ｉ  差し込み部
６  スペーサ
７  折り目
【図１】
2013220034.tif 000003
【図２】
2013220034.tif 000004
【図３】
2013220034.tif 000005
【図４】
2013220034.tif 000006
【図５】
2013220034.tif 000007
【図６】
2013220034.tif 000008
【図７】
2013220034.tif 000009
【図８】
2013220034.tif 000010
【図９】
2013220034.tif 000011
【図１０】
2013220034.tif 000012
【図１１】
2013220034.tif 000013
【図１２】
2013220034.tif 000014
【図１３】
2013220034.tif 000015
【図１４】
2013220034.tif 000016
【図１５】
2013220034.tif 000017
【図１６】
2013220034.tif 000018
【図１７】
2013220034.tif 000019
【図１８】
2013220034.tif 000020
【図１９】
2013220034.tif 000021
【図２０】
2013220034.tif 000022
【図２１】
2013220034.tif 000023
【図２２】
2013220034.tif 000024
【図２３】
2013220034.tif 000025
【図２４】
2013220034.tif 000026
【図２５】
2013220034.tif 000027
【図２６】
2013220034.tif 000028
【図２７】
2013220034.tif 000029
【図２８】
2013220034.tif 000030
【図２９】
2013220034.tif 000031
【図３０】
2013220034.tif 000032
【図３１】
2013220034.tif 000033
【図３２】
2013220034.tif 000034
【図３３】
2013220034.tif 000035
【図３４】
2013220034.tif 000036
【図３５】
2013220034.tif 000037
【図３６】
2013220034.tif 000038
【図３７】
2013220034.tif 000039
【図３８】
2013220034.tif 000040
【図３９】
2013220034.tif 000041